(57)【要約】【課題】  電子ペーパを用いた表示パネル部において、表示画像を変更表示するときでも省エネルギー効果が得られるようにする。【解決手段】  表示パネル部９は、電子的に画像が表示されるとともに駆動電源を遮断しても当該表示状態が保存される電子ペーパ片１３を複数配列してなる。記憶部５は、表示パネル部９で表示された表示画像を電子ペーパ片１３に関連付けて記憶する。判別部１５は、表示変更される画像が記憶部５に記憶され電子ペーパ片毎の表示画像の何れに該当するかを判別する。表示制御部１７は、判別部１５で判別された表示変更される電子ペーパ片１３に対して駆動電源を印加して表示変更制御する。【選択図】  図１
2008216710.tif 000002
【特許請求の範囲】
【請求項１】
電子的に画像が表示されるとともに駆動電源を遮断しても当該表示状態が保存される電子ペーパ片を複数配列してなる表示パネル部と、
この表示パネル部で表示された表示画像を前記電子ペーパ片に関連付けて記憶する記憶部と、
前記表示パネル部で表示変更される画像が、前記記憶部に記憶された前記電子ペーパ片毎の表示画像の何れを変更するかを判別する判別部と、
この判別部で判別された表示変更される前記電子ペーパ片に対して駆動電源を印加して表示変更制御する表示制御部と、
を具備することを特徴とする画像表示装置。
【請求項２】
前記判別部は、前記電子ペーパ片毎に記憶された前記表示画像と表示変更される画像とを比較して差があるとき当該電子ペーパ片の変更を判別する請求項１記載の画像表示装置。
【請求項３】
前記表示パネル部は、前記電子ペーパ片を着脱可能に接続して形成されてなる請求項１又は２記載の画像表示装置。
【発明の詳細な説明】
【技術分野】
【０００１】
本発明は画像表示装置に係り、例えば複写機や複合機（ＭＦＰ：Multi Function Peripheral）等の画像形成装置に搭載して好適な画像表示装置の改良に関する。
【背景技術】
【０００２】
近年、複写機や複合機等では、駆動電源を印加して視覚的な画像表示状態を形成した後に電源を遮断してもその表示状態が保持される、いわゆる電子ペーパを表示パネルに用い、表示部の省電力化を確保する試みがある。
【０００３】
例えば、特開２００６−２５６１８２号公報（特許文献１）はこの種のものである。
【０００４】
この特許文献１は、表示データを転送した後、駆動電源を遮断しても表示内容を保持する表示メモリ効果を有するフラットパネルディスプレイ（電子ペーパ）を、操作表示用のデバイスに用いた画像形成装置であり、省エネモード時に操作パネルの電源を遮断しても機器の情報を表示を継続させることにより、高い省エネルギー効果を得ることができるようにしたものである。
【特許文献１】特開２００６−２５６１８２号公報
【発明の開示】
【発明が解決しようとする課題】
【０００５】
しかしながら、上述した特許文献１では、フラットパネルディスプレイの表示を変更する必要がある場合、フラットパネルディスプレイ全体に給電して変更処理するから、例えば目視上表示内容に変更がない箇所についても給電する必要があり、電気エネルギーの無駄が生じ、省エネルギー効果を得るには改善すべき余地がある。
【０００６】
そこで、本発明者は、複合機等の画像形成装置について鋭意観察および検討を加えた結果、メニュー操作によって表示させる表示画像が頻繁に変わる部分とあまり変化しない部分がある程度峻別される点に着目し、本発明を完成させた。
【０００７】
本発明はそのような課題を解決するためになされたもので、電子ペーパを用いた画像表示装置において、より高い省エネルギー効果を得ることが可能な画像表示装置の提供を目的とする。
【課題を解決するための手段】
【０００８】
そのような課題を解決するために本発明に係る画像表示装置は、電子的に画像が表示されるとともに駆動電源を遮断しても当該表示状態が保存される電子ペーパ片を複数配列してなる表示パネル部と、この表示パネル部で表示された表示画像を電子ペーパ片に関連付けて記憶する記憶部と、その表示パネル部で表示変更される画像が、その記憶部に記憶された電子ペーパ片毎の表示画像の何れを変更するかを判別する判別部と、この判別部で判別された表示変更される電子ペーパ片に対して駆動電源を印加して表示変更制御する表示制御部とを具備している。
【０００９】
本発明の画像表示装置では、上記前記判別部は、各電子ペーパ片毎に記憶された表示画像と表示変更される画像とを比較して差があるとき当該電子ペーパ片の変更を判別する構成も可能である。
【００１０】
本発明の画像表示装置では、上記表示パネル部が、電子ペーパ片を着脱可能に接続してなる構成も可能である。
【発明の効果】
【００１１】
このような本発明に係る画像表示装置では、電子的に画像が表示されるとともに駆動電源を遮断しても当該表示状態が保存される電子ペーパ片を複数配列して表示パネル部を形成し、この表示パネル部で表示された表示画像を電子ペーパ片に関連付けて記憶部に記憶し、その表示パネル部で表示変更される画像につき、その記憶部に記憶された電子ペーパ片毎の表示画像の何れを変更するかを判別部で判別し、この判別された表示変更される電子ペーパ片に対して表示制御部が駆動電源を印加して表示変更制御するので、電子ペーパを用いた画像表示装置において、表示変更する電子ペーパ片以外に駆動電源が印加されず、より高い省エネルギー効果を得ることが可能である。
【００１２】
本発明の画像表示装置において、上記判別部が、電子ペーパ片毎に記憶された表示画像と表示変更される画像とを比較して当該電子ペーパ片の変更を判別する構成では、特に、確実な判別が可能となって良好な省エネルギー効果を得ることが可能である。
【００１３】
本発明の画像表示装置において、上記表示パネル部が、電子ペーパ片を着脱可能に接続してなる構成では、不具合のある電子ペーパ片のみの交換が可能となり、電子ペーパ片の交換といったメンテナンスが容易である。
【発明を実施するための最良の形態】
【００１４】
以下、本発明の実施の形態を図面を参照して説明する。
【００１５】
図１は本発明に係る画像表示装置の実施の形態を示す概略ブロック図である。
【００１６】
図１において、本発明に係る画像表示装置は、主制御部１を中心にして画像読取部３、記憶部５、操作部７、表示パネル部９、印刷部１１を有して構成され、例えば複合機を構成している。主制御部は、画像読取部３、記憶部５、操作部７、表示パネル部９および印刷部１１を制御するものであるが、詳細は後述する。
【００１７】
画像読取部３は、主制御部の制御の下、例えば印刷された複数頁の原稿から画像を光学的に読み込み、フィルタ処理、変倍処理および階調処理等をして電子的印刷データを印刷ジョブとして生成する公知のスキャナ等であり、生成した印刷データが原稿の頁毎に記憶部５に順次記憶されるようになっている。
【００１８】
記憶部５は、画像読取部３からの印刷データ、表示パネル部９で表示する画面のテンプレートに加えて、表示パネル部９で表示された表示画像を後述する電子ペーパ片１３に関連付けて記憶する他、主制御部の動作プログラムを格納する例えばハードディスク（ＨＤＤ）である。
【００１９】
操作部７は、図示しない装置本体ケースの上部に配置されたタッチスイッチ入力部であり、例えば図２に示すように、「コピー」、「プリンタ」、「スキャナ」、「ファックス」等の選択キー７ａ、種々の設定値を入力するテンキー７ｂ、スタートキー７ｃ等を有している。
【００２０】
すなわち、操作部７は、それらの入力指示を受付ける入力部として機能し、入力指示された情報を主制御部１に出力する。操作部７から入力指示された情報が表示パネル部９に反映されて表示される。
【００２１】
表示パネル部９は、画像形成装置の動作状態や操作部７から入力指示された情報を視覚的に表示する機能を有し、例えば図３に示すように、小片状の電子ペーパ片１３を複数枚、縦横に隙間なく連続配列して形成されている。
【００２２】
電子ペーパ片１３は、電子泳動方法や帯電粒子を用いた従来公知のものであり、駆動電源を印加して視覚的な画像表示状態を形成した後に電源を遮断してもその表示状態が保持され、駆動電源を印加して画像表示状態を変更可能な機能を有する例えば正方形状のものである。
【００２３】
すなわち、電子ペーパ片１３は、図４に示すように、例えば１平方ｃｍのペーパ本体１３ａと、このペーパ本体１３ａの裏面端部から画素に対応した数で垂下する多数の接続ピン１３ｂを有し、表示パネル部９の基板１３ｃに連続形成された接続孔１３ｄに接続ピン１３ｂを差込接続して密接配列されて形成され、表示パネル部９に電気的に接続されている。
【００２４】
表示パネル部９は、後述するように主制御部１の制御により、例えば記憶部５に記憶された画面のテンプレートに画像やデータが追加書込みされて表示画像が形成され、個々の電子ペーパ片１３に表示駆動電源が印加され、視覚的な画像表示状態が形成され、電源を遮断してもその表示状態が保持される。なお、表示パネル部９で表示された表示画像は記憶部５に記憶される。
【００２５】
印刷部１１は、主制御部１の制御の下、搬送用紙に印刷データを印刷して排紙する白黒およびカラー印刷する印刷エンジンであり、公知のものであるから詳細な説明および図示は省略する。
【００２６】
主制御部１は、ＣＰＵ、このＣＰＵの動作プログラムを格納したメモリ部、入出力インターフェース（いずれも図示せず。）を有し、上述したように主制御部は、画像読取部３、記憶部５、操作部７、表示パネル部９および印刷部１１を制御する他、判別部１５および表示制御部１７としての機能を有する。
【００２７】
主制御部１は、当該装置の動作や操作部７からの入力指示に基づき、表示制御部１７を介して電子ペーパ片１３に表示駆動電源を印加して動作状態等を画像表示するとともに、表示された表示画像を個々の電子ペーパ片１３に関連付けて記憶部５に記憶制御する機能を有している。
【００２８】
判別部１５は、操作部７から入力された表示情報に基づき表示変更される画像と、記憶部５に記憶された電子ペーパ片１３毎の表示画像とを比較し、表示変更される画像が記憶表示画像との間で差があって異なるか否か判別し、差のある電子ペーパ片１３を特定して表示制御部１７に出力する機能を有している。
【００２９】
表示制御部１７は、対応する個々の電子ペーパ片１３に表示駆動電源を印加して動作状態等を画像表示する機能を有するとともに、判別部１５で判別された表示変更の必要のある個別の電子ペーパ片１３に対し、駆動電源を印加して表示を変更制御し、当該駆動電源を遮断する機能を有している。表示変更の必要のない電子ペーパ片１３に対しては駆動電源が印加されない。
【００３０】
このような本発明の画像表示装置では、電子的に画像が表示されるとともに駆動電源を遮断しても当該表示状態が保存される電子ペーパ片１３を複数配列してなる表示パネル部９と、この表示パネル部９で表示された表示画像を電子ペーパ片１３に関連付けて記憶する記憶部５と、その表示パネル部９で表示される画像に係る表示情報を入力する操作部（入力部）７と、この操作部７から入力された表示情報に基づき表示変更される画像が、記憶部５に記憶され電子ペーパ片毎の表示画像との間で差があるか否かを判別する判別部１５と、この判別部１５で判別され表示変更の必要のある電子ペーパ片１３に対して駆動電源を印加して表示変更制御する表示制御部１７とを具備している。
【００３１】
そのため、この表示パネル部９で表示された表示画像を変更表示するとき、実際に表示変更される電子ペーパ片１３部分のみに駆動電源を印加して変更処理し、表示変更されない電子ペーパ片１３部分には駆動電源が印加されないから、表示パネル部９の表示画像を変更表示するとき不要な駆動電源の印加がなくなり、従来より高い省エネルギー効果を得ることが可能である。
【００３２】
しかも、表示変更される画像と既表示画像との間で差がある電子ペーパ片１３に対して駆動電源を印加するから、確実な変更判別が可能で、良好な省エネルギー効果を得ることが可能である。
【００３３】
もっとも、本発明においける判別部１５は、表示変更される画像と記憶部５に記憶され電子ペーパ片毎の表示画像とを比較する構成に限定されず、単に、表示変更される画像に対応する電子ペーパ片を判別するよう形成されていれば良い。
【００３４】
さらに、表示パネル部９は、電子ペーパ片１３を着脱可能に装着接続してなるから、不具合のある電子ペーパ片１３のみの個別に交換が容易で、電子ペーパ片１３の交換といったメンテナンスが容易であるし、維持費のコストダウンが可能である。
【００３５】
ところで、上述した本発明の画像印刷装置では、表示パネル部９に表示させる表示画像は、操作部７からの入力情報であったが、少なくとも表示パネル部９で表示される画像であれば、必ずしも操作部７からの入力情報である必要はなく、表示パネル部９に表示させる表示画像について電子ペーパ片１３毎に対応が判別できれば、本発明の目的達成が可能である。
【図面の簡単な説明】
【００３６】
【図１】本発明に係る画像表示装置の実施の形態を示す概略ブロック図である。
【図２】本発明の画像表示装置における操作部および表示パネル部の例を示す図である。
【図３】本発明の画像表示装置における表示パネル部を説明する図である。
【図４】本発明の画像表示装置における電子ペーパ片を説明する概略斜視図である。
【符号の説明】
【００３７】
１  主制御部（表示制御部）
３  画像読取部
５  記憶部
７  操作部
７ａ  選択キー
７ｂ  テンキー
７ｃ  スタートキー
９  表示パネル部
１１  印刷部
１３  電子ペーパ片
１３ａ  ペーパ本体
１３ｂ  接続ピン
１３ｃ  基板
１３ｄ  接続孔
１５  判別部（主制御部）
１７  表示制御部（主制御部）
【図１】
2008216710.tif 000003
【図２】
2008216710.tif 000004
【図３】
2008216710.tif 000005
【図４】
2008216710.tif 000006